(57)【特許請求の範囲】
【請求項１】
料理を完了した時にスープが残っているスープ料理用の自動料理鍋であって、
温度センサーを含んで構成され、鍋／上蓋の表面温度の感知や噴出される水蒸気の温度感知で水の沸騰を感知する沸騰感知手段と、
前記沸騰感知手段の沸騰感知信号によって作動が開始され、沸いているお湯に料理材料を投入してから料理が完了されるまでかかる時間である「持続煮る時間２」であって、メニュー選択手段で選択されたメニューの前記「持続煮る時間２」に「投入所要時間」を合わせた時間が設定され、料理調節手段によって設定時間が調節され、設定された時間が経過すれば信号を出力し、再スタートボタンが操作される際には始めから再び再作動するタイマー部と、
前記沸騰感知手段の沸騰感知信号によって沸騰信号音響を発生し、前記タイマー部の出力信号によって料理完了音を発生する音発生部と、
回路部に電源を供給する電源部と、
前記電源部を含む回路部が容器の取っ手内に設置され、水の沸騰感知信号によって料理材料が投入されることを特徴とする料理完了を警報する自動料理鍋。
【発明の詳細な説明】
【技術分野】
【０００１】
本発明はスープ料理が最適に完了された時、これを使用者に警報する機能を有する自動料理鍋に関するものである。
【背景技術】
【０００２】
従来の料理容器にタイマー手段を構成して消費者が料理をする前に手動で任意に時間を設定した後、設定した時間になれば警報音を発生する通常のタイマー付鍋が提案されたことがある。どころが、単純にタイマーのみ設置した従来のタイマー付料理容器は、使用者が料理を完了するまでかかる時間を分からないため、料理を完了した時の警報のためにタイマーに正確な時間を設定することができない問題があった。
【０００３】
このような従来の問題を解決するためのまた他の従来技術として、本発明者は大韓民国登録特許第１０−００７０９８３号の料理装置（特許文献１）を提案した。しかし、特許文献１は、温度センサーと、二つのタイマーと、警報回路とで構成されたもので、料理を完了した時にスープが残っているスープ料理用ではないため、本発明に適用しにくいという問題点があった。即ち、料理を完了した時にスープが残らないご飯料理に関する圧力炊飯器用の技術で、別途の蒸れる過程が必要な飯炊き用の料理容器に適当な技術であった。従って、蒸れる過程が必要のない本発明のスープ料理自動警報の目的で用いるには適当ではなかった。
【０００４】
また他の従来技術として、本発明者は大韓民国実用新案登録第２０−０１７８６０４号の鍋（特許文献２）を提案した。特許文献２は一つのタイマーとタイマーをスタート（ｓｔａｒｔ）させる機能を有する手動操作スィッチと、警報回路とを鍋の取っ手の内部に設置して構成されたもので、使用者が鍋内のお湯が沸くことを直接目で確認した後、料理材料であるラーメンを投入し、継いで手動でスィッチを操作して内装されたタイマーをスタート（ＳＴＡＲＴ）し、お湯が沸いた後に投入されるラーメン料理材料の投入時点からスープ料理が完了するまでかかる持続時間を予め実験的に測定した後、この時間値がタイマーに予め設定されるようにして、タイマーに設定された時間が経過すると警報を鳴らす構成であった。
【０００５】
しかしながら、特許文献２は使用者が鍋の水を加熱し、鍋内の水の沸騰を目で直接確認した後、手動操作でタイマーを作動させるスィッチを操作しなければならないため使用上不便であった。さらに、うっかり忘れてタイマーをスタート（ｓｔａｒｔ）させる機能のスィッチを操作しない場合、料理が完了されてもこれを警報で知らせることができないという短所があった。また、お湯が沸いた後料理材料であるラーメンを投入する方式であるため、お湯が沸いているか否かを随時に訪問して確認しながら、お湯が沸くまで料理装置の周辺で待たなければならないという使用上不便な問題点があった。
【発明の開示】
【発明が解決しようとする課題】
【０００６】
本発明はスープ料理（スープがある状態で料理が完了される料理）が最適に完了された時、これを自動に知らせる機能を有する自動料理鍋を提供する。
【０００７】
また、お湯が沸く前に予め料理材料を投入した後、料理するメニューのみ選択すれば料理が完了した後自動に警報する自動料理鍋を提供する。
【０００８】
上記の方法で、料理の量に関係なく、同じメニューでは同じ持続煮る時間が設定するが、他の応用方法では、同じメニューで料理の量によってタイマー部に設定される持続煮る時間が所定時間の範囲内で実験的に予め測定された量による持続煮る時間の変化データによって調節するようにすることもできる。
【０００９】
また他の方法として、メニューを選択し、お湯が沸くとそれを感知して沸騰警報音を発生させて料理材料の投入時点を知らせ、それにより、お湯が沸いた後料理材料を投入すれば料理が完了された時料理の完了を自動に警報する鍋を提供する。
【００１０】
また他の方法として、鍋内の水の沸騰を知らせる信号を発生するようにし、それにより、料理材料を投入した後、材料の投入事実を知らせるボタンを操作すれば、料理が完了された後自動に警報するようにする鍋を提供する。
【課題を解決するための手段】
【００１１】
料理をするメニューを選択するメニュー選択手段１６を操作する際に、選択されたメニューの「持続煮る時間」が料理の量に関係なくタイマー部９に設定されるように構成し、鍋１内の水１７の沸騰を感知する沸騰感知手段１０を構成し、上記沸騰感知手段１０が沸騰を感知すれば、タイマー部９が作動を開始するように構成し、上記タイマー部９の設定時間が経過すれば、警報音を発生するように構成し、お湯が沸く前に料理材料を予め投入した後料理をするメニューを選択すれば、加熱して料理が完了された時、料理の完了を知らせる警報を可能にする構成を提示する。
【００１２】
上記方法の応用として、また他の方法では料理の量によってタイマー部９に設定された選択されたメニューの持続煮る時間を予め実験的に測定された料理量による時間の変化データによって調節されるように構成することもできる。
【００１３】
また他の方法として、メニュー選択手段１６を構成して、メニューを選択すると、料理の量に関係なく選択されたメニューの「持続煮る時間」がタイマー部９に設定されるように構成し、また、沸騰感知手段１０を構成して、沸騰を感知した時、沸騰音を発生させて、料理材料の投入時点を知らせながら、同時にタイマー部９が作動を開始し、上記沸騰警報音によって料理材料が投入された状態で上記タイマー部の設定時間が経過すれば、料理完了を知らせる料理完了音を発生するように構成して、水の沸騰信号音によって料理材料を投入し、料理が完了された時、自動に警報ができるようにする構成を提示する。
【００１４】
また他の方法としては、メニュー選択手段１６を構成して、メニューを選択した時、料理の量に関係なく選択されたメニューの「持続煮る時間」がタイマー部に設定されるように構成し、また沸騰感知手段１０を構成して、沸騰を感知した時、料理材料の投入時点を知らせる沸騰音を発生するようにし、上記沸騰音によって料理材料が投入された後材料の投入を知らせる材料投入ボタン１９を操作すれば、料理が最適に完了された後、料理の完了を知らせる音を発生する構成を提示する。
【発明の効果】
【００１５】
本発明はお湯が沸く前に料理材料を予め投入した状態で、料理をするメニューだけ選択すれば、料理が完了された時料理の完了を知らせる警報音を発生して料理の完了を知らせる使用上便利な效果がある。特に、スープ料理の中でもラーメン料理をする場合にはラーメンをお湯が沸く前に予め投入することもできて、使用上便利である。
【００１６】
また、料理材料を水が沸騰する前に予め投入する場合のまた他の実施例では、料理の量によって煮る時間が自動に調節される效果を奏することができる。
【００１７】
本発明のまた他の実施例の效果は、お湯が沸いた後料理材料を投入する場合にも、料理材料の投入時点を知らせる便利さと、料理が完了された後、料理の完了を警報音で知らせる便利な效果を奏する。
【図面の簡単な説明】
【００１８】
【図１】本発明の実施例１で温度センサーが水蒸気噴出口で噴出される水蒸気の温度を感知するようにした構成を示す本発明の一例の側断面図である。
【図２】本発明の実施例２で温度センサーが水蒸気噴出口で噴出される水蒸気の温度を感知するようにした構成を示す本発明のまた他の一例の側断面図である。
【図３】本発明の温度センサーが鍋／上蓋の上面表面温度を感知するように構成した状態を示す本発明のまた他の一例の側断面図である。
【図４】本発明の温度センサーが鍋／上蓋の側面表面温度を感知するように構成した状態を示す本発明のまた他の一例の側断面図である。
【図５】本発明の温度センサーが鍋／上蓋の上面を貫通して設置される状態を示す本発明のまた他の一例の側断面図である。
【図６】本発明の温度センサーが鍋／上蓋の側面を貫通して設置される状態を示す本発明のまた他の一例の側断面図である。
【図７】本発明の温度センサーが上蓋中心部用取っ手の底面に設置される状態を示す本発明のまた他の一例の側断面図である。
【図８】ノブ羽が音通路穴を開閉する状態、及び上蓋を貫通して設置される感知部の外縁に形成されたねじ溝を利用して温度センサーが結着される状態を示す本発明のまた他の一例の側断面図である。
【図９】音通路穴の周辺にゴムリングが設置される状態、及び取っ手固定用ボルトを利用して温度センサーを設置する状態を示す本発明のまた他の一例の側断面図である。
【図１０】取っ手固定用の中空ボルト内に温度センサーが設置される状態を示す本発明のまた他の一例の側断面図である。
【図１１】音通路穴を開閉するノブ突起板の構成状態を示す本発明の一例の要部側断面図である。
【図１２】水の沸騰前に料理材料を投入する本発明の実施例１の料理特性グラフである。
【図１３】水の沸騰後に料理材料を投入する本発明の実施例２及び実施例３の料理特性グラフである。
【図１４】本発明の実施例１及び実施例２のための本発明の回路構成図の一例である。
【図１５】材料投入ボタンが設置される本発明の実施例３のための本発明のまた他の回路構成図の一例である。
【図１６】本発明の料理量選択スィッチが設置された実施例４のための本発明のまた他の回路構成図の一例である。
【図１７】沸騰までの時間を測定する本発明の料理量感知手段が設置された本発明の実施例４のまた他の回路構成図の一例である。
【図１８】実施例１及び実施例２の料理調節手段をマイコンで構成した場合の本発明の回路構成図の一例である。
【図１９】実施例３の料理調節手段をマイコンで構成した場合の本発明の回路構成図の一例である。
【図２０】本発明の実施例１及び実施例２をマイコンで構成した場合の回路構成図の一例である。
【図２１】実施例３をマイコンで構成した場合の回路構成図の一例である。
【図２２】本発明の料理量感知手段を有する実施例４をマイコンで構成した場合の回路構成図の一例である。
【図２３】本発明の料理量感知手段を料理量選択スィッチで構成した場合の実施例４をマイコンで構成した場合の回路構成図の一例である。
【発明を実施するための形態】
【００１９】
料理するメニューを選択するメニュー選択手段１６を操作すれば選択されたメニューの「持続煮る時間」が料理の量に関係なくタイマー部９に設定されるように構成し、鍋１内の水１７の沸騰を感知する沸騰感知手段１０を構成し、上記沸騰感知手段１０が沸騰を感知すれば、タイマー部９が作動を開始するように構成し、上記タイマー部９の設定時間が経過すれば、警報音を発生するように構成して、お湯が沸く前に料理材料を予め投入した後料理するメニューのみ選択すれば、加熱して料理が完了されると、料理の完了を知らせる警報ができるようにする構成を提示する。
【００２０】
上記方法の応用として、また他の方法では、料理の量によってタイマー部９に設定された選択されたメニューの持続煮る時間を予め実験的に測定された料理量による時間の変化データによって調節されるように構成することもできる。
【００２１】
また他の方法として、メニュー選択手段１６を構成して、メニューを選択すれば料理の量に関係なく選択されたメニューの「持続煮る時間」がタイマー部９に設定されるように構成し、また沸騰感知手段１０を構成して、沸騰を感知した時に沸騰音を発生して、料理材料の投入時点を知らせながら、同時にタイマー部９の作動を開始し、上記沸騰警報音によって料理材料が投入された状態で上記タイマー部の設定時間が経過すれば、料理の完了を知らせる料理完了音を発生するように構成して、水の沸騰信号音によって料理材料を投入した時、料理が完了されると、自動に警報ができるようにする構成を提示する。
【００２２】
また他の方法としては、メニュー選択手段１６を構成して、メニューを選択すると、料理の量に関係なく選択されたメニューの「持続煮る時間」がタイマー部に設定されるように構成し、また、沸騰感知手段１０を構成して、沸騰を感知した時、料理材料の投入時点を知らせる沸騰音を発生するようにし、上記沸騰音によって料理材料が投入された後、材料の投入を知らせる材料投入ボタン１９が操作すれば、料理が最適に完了された時に料理の完了を知らせる音を発生する構成を提示する。
【００２３】
実施例１
本実施例１は料理材料をお湯が沸く前に予め投入し、料理を完了した後、自動に警報する場合の実施例で、実施例１の構成は次の通りである。
【００２４】
温度センサー８を含んで構成され、鍋１内の水１７の沸騰が感知されると、信号を出力する沸騰感知手段１０と、上記沸騰感知手段１０の沸騰感知時の出力信号によって作動が開始され、メニュー選択手段１６によって選択されたメニューの「持続煮る時間１」（料理材料が予め投入された状態で、沸騰を感知してから料理が完了されるまでかかる時間）が設定され、上記設定された時間値が料理調節手段１５によって調節され、上記設定された時間が経過すれば信号を出力するタイマー部９と、上記タイマー部９の出力信号によって音を発生し、スピーカー１４と音通路穴２０とを有する上記音発生部１１と、電源部７を図１４のように構成して、鍋１の上蓋側面用取っ手４や上蓋中心部用取っ手６内に設置して構成される（図１〜図１０、図１４、図１８、図２０参照）。
【００２５】
実施例２
本実施例２はメニューを選択し、水１７の沸騰を音で知らせ、上記沸騰音によって料理材料１８を投入すれば、料理が完了された後自動に警報する場合の実施例で、実施例２の構成は次の通りである。
【００２６】
温度センサー８を含んで構成され、鍋１内の水１７の沸騰が感知されると、信号を出力する沸騰感知手段１０と、メニュー選択手段１６によって選択されたメニューの「持続煮る時間２」（沸いているお湯に料理材料を投入してから料理が完了されるまでかかる時間）に料理材料の「投入所要時間」を合わせた時間が設定され、上記設定された時間値が料理調節手段１５によって調節され、上記沸騰感知手段１０の信号によって作動を開始し、上記設定された時間が経過すれば信号を出力するタイマー部９と、上記沸騰感知手段１０の沸騰感知時の出力信号によって沸騰音を発生し、上記タイマー部９の設定時間経過時の出力信号によって料理完了音を発生し、スピーカー１４と音通路穴２０とを有する音発生部１１と、電源部７を鍋１の上蓋側面用取っ手４や上蓋中心部用取っ手６内に設置して構成される（図１〜図１０、図１４、図１８、図２０参照）。
【００２７】
上記構成において、「投入所要時間」は、ラーメン料理の場合、約２０〜３０秒である。この時間は多数の人々を対象に実施した平均的な測定時間値で決まる。
【００２８】
また、タイマー部９に設定される時間はメニュー別の「持続煮る時間２」に「投入所要時間」を合わせた時間であるが、実際に料理の材料が沸いているお湯の中に投入された後にさらに煮る時間は該当メニューの「持続煮る時間２」（沸いているお湯に料理材料を投入した時点から料理が完了されるまでの所要時間）になる。
【００２９】
上記構成において、再スタート（ｒｅｓｔａｒｔ）ボタン（図示しない）操作信号によって作動中の上記タイマー部９が再スタート（ｒｅｓｔａｒｔ）されるように構成することもできる。
【００３０】
実施例３
本実施例３は鍋１内の水１７が沸騰すれば、これを感知して音で知らせ、これによって沸いているお湯１７の中に料理材料１８を投入した後、料理材料１８の投入有無を回路部３１に知らせる材料投入ボタン１９を手動で操作する場合の一例で、実施例３の構成は次の通りである。
【００３１】
温度センサー８を含んで構成され、鍋１内の水１７の沸騰が感知されると、信号を出力する沸騰感知手段１０と、メニュー選択手段１６によって選択されたメニューの「持続煮る時間２」（沸いているお湯に料理材料が投入されてから料理が完了されるまでかかる時間）が設定され、上記設定された時間値が料理調節手段１５によって調節され、上記材料投入ボタン１９により操作信号が発生すれば、上記沸騰感知手段１０の沸騰信号を再チェックして、沸騰信号が感知されれば作動を開始し、上記設定された時間が経過すれば信号を出力するタイマー部９と、上記沸騰感知手段１０の沸騰感知時の出力信号によって沸騰音を発生し、上記タイマー部９の設定時間経過時の出力信号によって料理完了音を発生させ、スピーカー１４と音通路穴２０とを有する音発生部１１と、電源部７を図１５のように構成して、鍋１の上蓋用側面用取っ手４や上蓋中心部用取っ手６内に設置して構成される（図１〜図１０、図１５、図１９、図２１参照）。
【００３２】
実施例４
本実施例４は上記実施例１の構成で、料理の量を感知したりまたは料理の量を使用者が指示することができる料理量感知手段４８が追加された場合で、実施例４の回路構成は次の通りである。
【００３３】
料理の加熱開始時に、手動操作で操作される電源スィッチ４３がオン（ＯＮ）になる時点から沸騰感知手段１０が沸騰感知信号を出力する時までの総所要時間を測定して、料理の量を判断する料理量感知手段４８と、沸騰感知時に信号を出力する沸騰感知手段１０と、上記沸騰感知手段１０の出力信号によって作動が開始され、メニュー選択手段１６によって選択されたメニューの「持続煮る時間１」（料理材料が予め投入された状態で、沸騰感知後から料理が完了されるまでかかる時間）が設定され、上記設定された時間値が上記料理調節手段１５によって調節され、また、上記料理量感知手段４８の情報によって設定された時間値が調節され、上記設定された時間が経過すれば、料理完了信号を出力するタイマー部９と、上記タイマー部９の出力信号によって音を発生し、スピーカー１４と音通路穴２０とを有する音発生部１１と、電源部７を図２０のように構成して、鍋１の上蓋側面用取っ手４や上蓋中心部用取っ手６内に設置して構成される（図１〜図１０、図１６、図１７、図２２、図２３参照）。
【００３４】
上記実施例４の構成において、上記料理量感知手段４８は、図１６のように、料理量選択スィッチ２２で構成することもできる。この場合には、電源投入時点から沸騰までの時間を測定する代りに上記料理量選択スィッチ２２の接点選択信号によってタイマー部９の設定時間を予め実験で測定したデータによって調節するように構成される。
【００３５】
上述した本発明の上記実施例１、実施例２、実施例３及び実施例４の構成において、上記電源スィッチ４３は可変抵抗４１と一体に構成されて、可変抵抗４１の操作と連動して作動するように構成されることができる（図１〜図１０、図１４〜図１９参照）。
【００３６】
上述した本発明の上記実施例１、実施例２、実施例３及び実施例４の構成において、温度センサー８の設置方法、取っ手の構成方法、メニュー選択手段１６の設置方法、メニュー選択手段１６の構成方法、及び上記メニュー選択手段１６に連結されたノブの構成方法、防水のための構成方法、回路部３１の構成方法などについて説明すれば次の通りである。
【００３７】
＜温度センサー８の設置構成＞
上記温度センサー８は鍋１／上蓋２の表面に接触するように設置されて、鍋１／上蓋２の表面温度を感知するように構成することもできる（図３、図４、図７）。
【００３８】
上記温度センサー８は温度センサー８の感知部３３が鍋１／上蓋２を貫通して設置されるようにして、鍋１内の水蒸気の温度を直接感知するように構成することもできる（図５、図６、図８、図９、図１０）。
【００３９】
上記温度センサー８は水蒸気噴出口１２を通じて鍋１の外部に噴出される水蒸気の温度を感知するように構成することもできる（図１、図２）。または、鍋本体３と上蓋２との間の隙間１３を通じて噴出される水蒸気の噴出位置に上記温度センサー８を設置することもできる。
【００４０】
上記温度センサー８は上蓋中心部用取っ手６の底面に温度センサー羽根３６を固定し、上記温度センサー８の感知部３３は感知部３３の外縁に形成されたねじ溝３４を利用して、上蓋２に感知部締結ねじ４０で締結して固定されるように構成することもできる（図８）。
【００４１】
上記温度センサー８は上蓋中心部用取っ手６の底面に温度センサー羽根３６を固定し、上記感知部３３が上蓋２を上で鍋１の内部方向に貫通するようにした状態で、取っ手固定用ボルト３７を利用して上蓋中心部用取っ手６を上記上蓋２に締結することによって、上記温度センサー８が固定されるように構成することもできる（図９）。
【００４２】
上記温度センサー８は上蓋中心部用取っ手６に設置される取っ手固定用雌ねじ２７に上蓋２を貫通して締結される取っ手固定用ボルト３７の内部の空いている空間内のボルトの頭部分の底面部位に設置して構成することもできる（図１０）。
【００４３】
＜温度センサー８の種類＞
上記温度センサー８はバイメタルスィッチや半導体温度素子の中の何れか一つで構成されることもできる。サーミスタ（ｔｈｅｒｍｉｓｔｏｒ）のような半導体素子で上記温度センサー８を構成する場合には、上記半導体温度センサーの抵抗値の変化をマイコン（Ｍｉｃｒｏｃｏｍｐｕｔｅｒ）で構成される回路部３１が読み込んで、メモリーに貯蔵された半導体温度素子の温度−抵抗特性データ値と比較して温度を感知するように構成されることができる。
【００４４】
上記温度センサー８をバイメタル温度スィッチで構成する場合には、上記温度センサー８の作動温度が上記温度センサー８の各設置方法による水１７の沸騰を感知することができる作動温度値の温度センサー８を選択して用い、この場合には、沸騰を判別するための別途のマイコンプログラムは構成しなくても良い。
【００４５】
＜音発生部１１の音の構成＞
上記音発生部１１の音は回路部３１に録音手段を備えて、料理が完了された時に発生する音が実際の音が録音された音が発生されるように構成することもできる。上記録音された音は使用者が録音した音であることもできて、製造者が録音した音であることもできる。また上記音は広告用音であることもできる。また上記使用者が録音した音はインターネット網を通じて使用者が直接ダウンロードした音であることもできる。マイコンを利用して録音する方法は既に公知された技術である。
【００４６】
＜音発生部１１の防水＞
スピーカー１４と音通路穴２０とで構成される上記音発生部１１と、音通路穴２０が電源スィッチ４３に連動されるノブ（ｋｎｏｂ）のノブ羽３９（図７、図８）、またはノブ突起板４９の移動によって開閉されるようにすることによって防水されるように構成することもできる（図１１）。
【００４７】
上記音発生部１１は音通路穴２０の周辺にゴムリング２６を設置して、電源スィッチ４３に連動されるノブ（ｋｎｏｂ）のノブ羽３９が上記ノブ３８をメニュー板２１のオフ（ＯＦＦ）位置にセッティングする時に、上記ゴムリング２６の位置に位置しながら上記ゴムリング２６に密着されるようにして、上記音通路穴２０が閉鎖されるように構成することによって、防水されるようにすることもできる（図９、図１０）。
【００４８】
また他の構成で、上記音発生部１１は音通路穴２０の周辺にゴムリング２６を設置して、上記ノブ３８をメニュー板２１のオフ（ＯＦＦ）位置にセッティングする時に、上記電源スィッチ４３に連動されるノブ（ｋｎｏｂ）３８のノブ突起板４９が上記ゴムリング２０に密着されるようにして上記音通路穴２０が閉鎖されるようにすることによって、防水されるように構成することもできる（図１１）。
【００４９】
上記ノブ羽３９または上記ノブ突起板４９は電源を開閉させる上下運動方式のロッキング（Ｌｏｃｋｉｎｇ）ボタン方式の電源スィッチ４３に設置されるように構成することもできる。この場合には、ボタンを押すことで電源がＯＮ、ＯＦＦされる時のボタンノブ３８の高さが変わることを利用して上記音通路穴２０が開閉される。
【００５０】
また他の構成で、上記音発生部１１は音は通過し、鍋の洗浄時の水は通過できないようにする薄板２８で、音通路穴２０が塞がられるように構成することもできる（図１〜図６）。上記薄板２８は音の振動の音圧（音）がよく通過することができる材質と薄壁で構成することができる。また他の構成では、上記薄板２８は取っ手構造物に一体に形成されるように構成することもでき、この場合には、薄板２８の固有振動数がスピーカー１４の音振動に共振されることができる固有振動数を有する材質と構造で構成することが好ましい。
【００５１】
＜メニュー選択手段１６の構成＞
上記メニュー選択手段１６は可変抵抗４１で構成することもできる（図１〜図１０、図１４〜図１７）。
【００５２】
また他の構成は、上記メニュー選択手段１６はマイコンで構成された回路部３１のプログラムとメニュー選択ボタン４４で構成されることもできる（図２０、図２１、図２２、図２３）。
【００５３】
＜電源スィッチの構成＞
電源スイッチ４３は別途に構成することもでき、または上記可変抵抗４１と一体に構成されて、可変抵抗４１の操作に連動するように構成することもできる。
【００５４】
＜料理材料＞
本発明で用いる料理材料１８は、麺類、野菜類、肉類、魚類など多様な材料が用いられることができ、本発明は料理が完了された後にもスープが残っているスープ料理を対象にする。
【００５５】
［作用］
実施例１
実施例１の作用を、温度センサー８が鍋の上蓋２を貫通して設置される例である図５、図６、図８、図９、図１０、実施例１の料理特性グラフである図１２、メニュー選択手段１６が可変抵抗４１を利用して構成された場合の回路構成図の一例である図１４を中心に詳しく説明すれば次の通りである。
【００５６】
本実施例１の作動を詳しく説明すれば次の通りである。
【００５７】
１．メニュー選択手段１６を操作して料理メニューを選択する段階；
鍋１に水１７と料理材料１８を投入した後、鍋１を加熱装置の上に載せ、メニュー選択手段１６で料理するメニューを選択する。図１４のように、メニュー選択手段１６が可変抵抗４１で構成される場合には、可変抵抗４１に固定されたノブ（ｋｎｏｂ）を操作してメニュー板２１の料理するメニューが表示された位置にノブ３８をセッティングする。
【００５８】
図１８のように、メニュー選択手段１６をメニュー選択ボタン４４で構成した場合には、別途の電源スィッチ４３の操作で電源供給を開始し、その後、メニュー表示ＬＥＤ４６の点灯を観察しながら、メニュー選択ボタン４４の押し回数を操作して、料理メニュー位置のメニュー表示ＬＥＤ４６が点灯されるようにしてメニューを選択する。
【００５９】
メニュー選択用の可変抵抗４１内に電源スィッチ４３が内装され、可変抵抗４１の操作に上記電源スィッチ４３が連動されるように構成された場合には、メニューを選択するためにノブ３８を回せば、電源スィッチ４３が連動して作動して、メニュー選択のためのノブ３８の操作のみでも回路部３１に電源供給が自動的に開始される。
【００６０】
２．メニュー別に予め測定された「持続煮る時間１」値の中で選択されたメニューの「持続煮る時間１」がタイマー部９に設定される段階；
上記１段階でのメニュー選択手段１６の操作によって選択されたメニューの「持続煮る時間１」値がタイマー部９に設定される（図１２）。
【００６１】
各メニュー別の上記「持続煮る時間１」値は料理材料１８を水１７が沸騰する前（例えば、常温の水）に予め投入された状態で各メニュー別の「持続煮る時間１」（沸騰感知後から料理完了時までの所要時間）値が予め実験的に測定されてデータ化される。マイコンで回路部３１が構成される場合には、上記データが回路部３１内のメモリーに貯蔵されることは勿論である。
【００６２】
マイコンを利用して回路部３１が構成され、上記可変抵抗４１を利用してメニュー選択手段１６を構成した場合には、図１４の可変抵抗４１に固定されたノブ３８を回してメニューを選択すれば、上記可変抵抗４１の抵抗値を回路部３１のＣＰＵが読んで可変抵抗４１の抵抗値にあたる時間値を抽出してタイマー部９に設定する。
【００６３】
可変抵抗を利用してタイマー部９に設定する時間値を決めることができる方法は多様で、このような技術は公知の技術である。
【００６４】
３．上記タイマー部９に設定された時間値が上記料理調節手段１５によって所定時間の範囲内で調節される段階；
個人の嗜好によって同じメニューでもたくさん煮って食べる場合もあれば、十分に調理しないで食べる場合もある。それによって、料理調節手段１５を利用して使用者自分の嗜好に合うように調節すれば、上記２段階でタイマー部９に設定された時間値が所定範囲内で増加または減少する形態で調節される。このような機能をする料理調節手段１５をまた他の可変抵抗で構成し、これを上記メニュー選択手段１６用の可変抵抗４１と直列連結して構成されることもでき、この場合には、結果的に上記メニュー選択手段１６用の可変抵抗４１の抵抗値に上記料理調節手段１５用の可変抵抗による抵抗値が合わせられてタイマー部９に設定される時間が決まる。従って、上記料理調節手段１６用の可変抵抗を調節すればタイマー部９に設定された時間値が増加または減少されるように調節される。
【００６５】
図１８のように、料理調節ボタン４５で料理調節手段１５を構成した場合には、料理調節表示ＬＥＤ４７を観察しながら自分の所望の位置の料理調節表示ＬＥＤ４７が点灯されるように上記料理調節ボタン４５の押し回数を操作して料理調節を実施する。
【００６６】
４．水が沸騰する前（例えば、常温の水）に料理材料１８が予め投入された鍋１を加熱する段階；
上記段階でメニューを選択し、料理される程度を調節した以後、上記鍋１内の冷たい温度（例えば、常温）の水１７の中に料理材料１８が予め投入され、上蓋２を閉めた状態の上記鍋１が加熱装置によって加熱が開始される。
【００６７】
この時用いられる加熱装置としては間接加熱方式の全ての加熱装置が有用である。ここで言う間接加熱装置にはガスレンジ、電気レンジなどが有效である。
【００６８】
５．沸騰感知手段１０が鍋１内の水１７の沸騰を感知すれば、信号を出力してタイマー部９の作動を開始させる段階；
上記４段階による加熱が持続すれば、鍋１内の水１７は沸騰し始める。それによって温度センサー８を有する上記沸騰感知手段１０は鍋１内の水１７の沸騰を感知するようになる。
【００６９】
温度センサー８が温度感知を通じて鍋１内の水１７の沸騰を感知する方法について説明すれば次の通りである。
【００７０】
上蓋２の表面温度を感知して沸騰を感知することができる。即ち、図３、図４及び図７のように、温度センサー８を鍋上蓋２の表面に接触するように設置して、水１７の沸騰時の鍋１の上蓋２の表面温度を感知することによって、水１７の沸騰を間接的に感知するようにできる。鍋１内の水１７が沸騰する時の上蓋２の表面温度は実験的に予め測定されることは勿論である。量産して市販される複数の温度センサー８の温度偏差を考慮して、あらゆる場合において沸騰を正確に感知することができる作動温度範囲値を有する温度センサー８を用いることが好ましい。
【００７１】
また他の構成では、図１及び図２のように、沸騰時に、鍋１／上蓋２の水蒸気噴出口１２から外部に噴出される水蒸気の温度を上記温度センサー８を利用して感知するようにすることによって、鍋１内の水１７の沸騰を感知するようにすることもできる。この構成方法は、温度センサー８が鍋の表面から所定間隔離隔された位置に設置されるが、噴出される水蒸気が集中される位置に設置されることが好ましい。
【００７２】
また他の構成方法は、水蒸気噴出口１２を温度センサー８が塞ぐ形態で設置して、鍋１内の水１７の沸騰を感知するようにすることもできる。この場合には、温度センサー８は鍋の外部に設置されながら感知部３３が上蓋２に設置された水蒸気噴出口１２を塞ぐ形態で設置される（図７）。
【００７３】
６．上記タイマー部９に設定された時間が経過すれば、上記タイマー部９は音発生部１１側に信号を出力して料理完了音を発生する段階；
タイマー部９に設定された時間（「持続煮る時間１」）が経過すれば、タイマー部９が音発生部１１側に信号を出力して、料理の完了を知らせる音を発生する。上記音発生部１１は特定音を発することができるように構成されたハードウェアやソフトウェアで、連結されたスピーカー１４を通じて音を発生する。
【００７４】
料理材料１８がラーメンである場合を挙げて本実施例の作用過程を再び説明すれば次の通りである。
【００７５】
図１４で、メニュー選択手段１６を可変抵抗４１で構成した場合には、上記可変抵抗４１に連結されたノブ（ｋｎｏｂ）を回してメニュー板２１に表示されたラーメンの種類の中で料理をしようとするラーメンの種類にセッティングしてラーメンの種類を選択する。そして、上記可変抵抗４１の抵抗値を回路部３１が読んで上述した方法によってセッティングされた抵抗値にあたる時間値がタイマー部９に設定され、タイマー部９に設定されるこの時間値が選択されたメニュー（ラーメンの種類）の「持続煮る時間１」になるように上記メニュー板２１に表示されるメニューの表示位置が決まる。
【００７６】
使用者がメニュー板２１でうどん麺（メニュー１）、そうめ（メニュー２）、普通面（メニュー３）の中で「普通面（メニュー３）」を選択すれば、「普通面（メニュー３）」に対して実験的に予め測定されて決まった普通面（メニュー３）の「持続煮る時間１」（お湯が沸く前に材料が投入された状態で沸騰感知後から料理が完了されるまでの所要時間）がタイマー部９に設定される。
【００７７】
本実施例１での「普通面（メニュー３）」の「持続煮る時間１」は、実験の結果約３分３０秒が好ましかった。上記「普通面（メニュー３）」はラーメン包装紙に「お湯が沸いたらラーメンを入れ、さらに約４分３０秒煮た後お召し上がりください」と表示されたラーメン種類を意味し、韓国国内で消費量が一番多いラーメンの種類である。
【００７８】
通常、「普通面」の包装紙の表面に記載された料理法には、お湯が沸いたらラーメンを入れ、さらに４分３０秒煮るように指示している。しかし、本実施例１では、お湯が沸く前に予めラーメンを投入するもので、ラーメン包装紙の料理方法とは若干違う。従って、本実施例１の料理条件で水の沸騰を感知してから料理が完了されるまでの所要時間である「持続煮る時間１」は実験的に測定され、測定された結果は従来のラーメン包装紙に表示された時間値より短くすることが好ましかった。本出願人が実施した実験結果では「普通面」（商品名：辛ラーメン、安城湯麺類）の上記「持続煮る時間１」は約３分〜４分の間の時間値が嗜好によって選択されるようにすることが好ましかった。
【００７９】
本発明が図２０のようにマイコンで回路部３１が構成される場合には、メニュー選択ボタン４４を数回押して所望のメニュー位置のメニュー表示ＬＥＤ４６が点灯されるようにすることによってメニューを選択する。それでマイコンは選択されたメニューの「持続煮る時間１」値を自分のメモリーで検索してタイマー部９（タイマープログラム）に設定する。
【００８０】
個人嗜好による料理調節過程について説明すれば次の通りである。
【００８１】
料理調節手段が、図１〜図６のように、別途の可変抵抗で構成されることもできる。可変抵抗の抵抗値変化を利用してタイマー部９に設定された時間を調節する技術は公知技術である。タイマー部９が抵抗とコンデンサーの充放電を利用したアナログ方式のタイマー（例えば、５５５タイマーＩＣ）で構成された場合には、上記メニュー選択手段１６用の可変抵抗４１に上記料理調節手段１５用の可変抵抗を直列に連結することによって、簡単にタイマー部９に設定される時間を調節することもできる。
【００８２】
しかし、別途の料理調節手段１５を構成しないで一つの可変抵抗４１のみでメニュー選択と料理調節を兼ねるように構成することもできる。即ち、図１４のように使用者が特定メニューを指定するメニュー板２１のメニュー表示位置でノブ（ｋｎｏｂ）３８を「弱」側に若干調節すれば、タイマー部９に設定される選択されたメニューのための設定時間値が減少するように調節され、「強」側に若干調節すれば、設定された時間値が増加するように調節される。メニューが「普通面」の場合には、個人の嗜好による強弱の調節による時間変化は略１分以内が適当であった。
【００８３】
図１８のように回路部３１をマイコンで構成した場合には、図１８の料理調節ボタン４５を数回押して所望の料理調節位置の料理調節表示ＬＥＤ４７が点灯される。そして、点灯された料理調節表示ＬＥＤ４７に対応する予め指定された時間値がメモリーで検索されてタイマー部９に設定された時間を上記検索された時間値だけ増加させたり減少させて、タイマー部９に設定された時間が調節されるようにプログラムされる。
【００８４】
上述した方法でメニューが選択され、それによってタイマー部９に時間が設定され、また個人の嗜好による料理調節が完了された。それで、使用者は鍋１内に常温の水１７と一緒に料理材料１８であるラーメンが予め投入された鍋１を加熱装置の上に置いて加熱を開始する。
【００８５】
加熱が開始された後の作動過程を説明すれば次の通りである。
【００８６】
加熱を持続することにより、鍋１内の水１７が沸騰すれば、上記温度センサー８がこれを感知して上記沸騰感知手段１０は沸騰感知信号を出力する。上記温度センサー８がバイメタル温度スィッチで構成され、図１、図２のように水蒸気噴出口１２から噴出される水蒸気の温度を感知することができる位置に設置された場合には、沸騰時に発生する水蒸気の温度で上記温度センサー８は作動し、鍋１内の水１７の沸騰を感知することになり、この時の温度センサー８の作動（例えば、接点変化）信号はタイマー部９に伝達されて、タイマー部９が作動を開始するようになる。
【００８７】
上記温度センサー８が、図３、図４のように、鍋１の上蓋２の表面に接触されるように設置されて、鍋１／上蓋２の表面温度を感知するように構成された場合には、鍋１内の水１７が沸騰する時の鍋１／上蓋２の表面温度で作動する作動温度を有する温度センサー８を選定して設置することによって、沸騰時に上記温度センサー８が沸騰を感知して作動することになり、沸騰感知時に作動する上記温度センサー８の作動信号がタイマー部９に伝達されてタイマー部９が作動を開始するようになる。
【００８８】
上記温度センサー８が、図５、図６、図８〜図１０のように、鍋１／上蓋２を貫通するように設置された場合には、鍋１内の水１７が沸騰して水蒸気を発生すれば、上記温度センサー８は水１７が沸騰する時の鍋１の内部の水蒸気の温度を感知して水１７の沸騰を感知して作動するようになり、上記温度センサー８の沸騰感知時の作動信号がタイマー部９に伝達されてタイマー部９が作動を開始するようになる。
【００８９】
上記温度センサー８がサーミスタ（ｔｈｅｒｍｉｓｔｏｒ）のような半導体温度センサーで構成された場合には、回路部３１のマイコン内部の沸騰感知手段１０のプログラムで上記半導体温度センサーの抵抗値を読んでメモリーに貯蔵された上記半導体温度センサーの温度−抵抗値データと比較することによって温度を感知し、水１が沸騰する時の上記半導体温度センサーの抵抗値が感知されれば、これを沸騰として感知して上記沸騰感知手段１０のプログラムは信号を出力して上記タイマー部９の作動を開始させる。上記半導体温度センでは鍋１／上蓋２の表面、または水蒸気噴出口１２に近接された位置、または鍋１／上蓋２を貫通した位置に設置されることができる。
【００９０】
上記タイマー部９が作動を開始すれば、設定された時間を計測（例えば、ディスカウント）し、上記タイマー部９に設定された時間が全部経過すれば信号を出力する。タイマー部９の上記出力信号によって上記音発生部１１は音を発生し、選択された料理が個人の嗜好に合うように最適に料理が完了されたことを使用者に警報で知らせる。
【００９１】
上述したように、本実施例１は料理が完了された後にもスープが残っている料理の料理材料１８をお湯が沸く前に予め投入し、料理するメニューだけ選択すれば料理が最適に完了された時を使用者に警報音で知らせる特徴がある。
【００９２】
実施例２
本実施例２はお湯が沸いた後料理材料１８を投入する場合の実施例である。それにより料理材料１８の投入時期を知らせるように構成した場合である。
【００９３】
本実施例２の作動は次の通りである。
【００９４】
１．メニュー選択手段１６を操作して料理するメニューを選択する段階；
本段階の作動過程は上述した実施例１と同じである。
【００９５】
２．選択されたメニューの「持続煮る時間２」に材料の「投入所要時間」を合わせた時間がタイマー部９に設定される段階；
メニューの選択により、選択されたメニューの「持続煮る時間２」に材料の「投入所要時間」を合わせた時間がタイマー部９に設定される（図１３）。メニュー選択手段１６の操作によって選択されたメニューの該当時間がタイマー部９に設定される方法と過程は上述した実施例１と同じである。
【００９６】
３．上記タイマー部９に設定された時間値が料理調節手段１５によって所定時間の範囲内で調節される段階；
料理調節手段１５の操作でタイマー部９に設定された時間が調節される作用過程は上述した実施例１と同じである。
【００９７】
４．水１７が盛られた鍋１が加熱される段階；
水１７が盛られた鍋１を加熱する。この時用いられる加熱装置は上述した実施例１と同じである。
【００９８】
５．鍋１内の水１７の沸騰を感知すれば、上記沸騰感知手段１０が音発生部１１及びタイマー部９側に信号を出力して、沸騰を知らせる沸騰音を発生し、それによって料理材料１８が投入され、上記タイマー部９が作動を開始する段階；
沸騰感知手段１０が鍋１内の水１７の沸騰を感知すれば、上記音発生部１１及びタイマー部９側に信号を出力して水１７の沸騰を知らせる沸騰音を発生し、同時にタイマー部９が作動を開始する。
【００９９】
上記沸騰感知手段１０の沸騰感知作動過程は上述した実施例１と同じである。
【０１００】
鍋１内の水１７の沸騰を知らせる上記沸騰音信号によって、使用者は用意した料理材料１８を鍋１の沸いているお湯１７の中に投入する。その後、鍋１の上蓋２を閉める。
【０１０１】
上記タイマー部９が作動を開始した後には、上記上蓋２の開閉による上記温度センサー８の再作動有無にかかわらず既に作動が開始された状態の上記タイマー部９が作動を持続するように構成することが好ましい。この場合には料理材料１８を投入した後、上記上蓋２を開けておいたまま料理をしても構わない。
【０１０２】
料理材料１８の投入は上記沸騰感知を知らせる沸騰音が発生すれば直ちに実施することが好ましい。料理材料１８の投入に必要な「投入所要時間」は、ラーメン料理の場合には約２０〜３０秒に観測された。上記料理材料１８は味付け類ではない料理のメイン材料を意味する。
【０１０３】
本段階で、再スタート（ｒｅｓｔａｒｔ）ボタン（図示しない）が設置された場合、上記再スタート（ｒｅｓｔａｒｔ）ボタンを操作すれば、上記再スタート（ｒｅｓｔａｒｔ）ボタンの操作信号によって既に作動が開始された上記タイマー部９が再び最初から再作動（ｒｅｓｔａｒｔ）をする。このような再スタート（ｒｅｓｔａｒｔ）ボタン（図示しない）は沸騰を知らせる沸騰音の発生後に料理材料１８を直ちに投入しないで、ある程度時間が経過した後に料理材料１８を投入する場合に有用である。
【０１０４】
６．上記タイマー部９に設定した時間が経過すれば、上記タイマー部９は音発生部１１側に信号を出力して料理完了音を発生する段階；
タイマー部９に設定された時間（「持続煮る時間２」＋「投入所要時間」）が経過すれば、上記タイマー部９は音発生部１１側に信号を出力して、上記音発生部１１が料理完了音を発生するようにする。これにより、使用者に料理の完了を知らせる警報音を発生する。
【０１０５】
本実施例の音種類は上述した実施例１で説明した音と同じである。
【０１０６】
本実施例２の特徴は上記タイマー部９が作動を開始する時沸騰音を発生して、使用者に水１７の沸騰を知らせる機能をし、使用者にタイマー部９の作動開始を知らせ、また「お湯が沸きました。早く料理材料１８を入れてください」という内容を使用者に知らせる機能をする特徴がある。また、上述した実施例１とまた他の特徴は料理材料１８がお湯が沸いたら投入されることである。
【０１０７】
実施例３
本実施例３の作動過程を説明すれば次の通りである。
【０１０８】
本実施例３は実施例２のように料理材料１８をお湯が沸いた後投入するように構成された場合である。
【０１０９】
本実施例３が上述した実施例２と異なる点は水１７の沸騰を感知して沸騰音が発生されても使用者が材料の投入を知らせる材料投入ボタン１９を操作しなければ上記タイマー部９の作動が開始されない点である。即ち、上記タイマー部９は材料投入ボタン１９の操作信号後、上記沸騰感知手段１０の沸騰信号が再感知されれば初めて作動を開始する。
【０１１０】
本実施例３の作動は次の通りである。
【０１１１】
１．メニュー選択手段１６を操作して料理するメニューを選択する段階；
メニューを選択する作動過程は上述した実施例１及び実施例２と同じ方法で実行される。
【０１１２】
２．選択されたメニューの「持続煮る時間２」（材料投入後から料理完了時までの所要時間）値がタイマー部９に設定される段階；
上記１段階のメニュー選択によって選択されたメニューの「持続煮る時間２」（沸いているお湯に材料を投入してから料理が完了されるまでの所要時間）値がタイマー部９に設定される。タイマー部９に時間が設定される過程は上述した実施例１及び実施例２と同じである。
【０１１３】
３．上記タイマー部９に設定された時間値が料理調節手段１５によって所定時間の範囲内で調節される段階；
個人の嗜好によって料理調節手段１５を調節してタイマー部９に設定された時間を所定範囲内で調節する。料理調節手段１５の操作でタイマー部９に設定された時間が調節される作動過程は上述した実施例１及び実施例２と同じである。
【０１１４】
４．水１７が盛られた鍋１が加熱される段階；
水１７が盛られた鍋１を加熱装置の上において加熱する。加熱装置の種類は上述した実施例１と同じである。
【０１１５】
５．沸騰感知手段１０が鍋１内の水１７の沸騰を感知すれば信号を出力して、音発生部１１が沸騰音を発生するようにする段階；
沸騰感知手段１０が沸騰を感知すれば音発生部１１側に信号を出力し、それにより、音発生部１１が水１７の沸騰を知らせる沸騰音を発生する。
【０１１６】
６．上記沸騰音によって料理材料１８が投入され、それによって材料投入ボタン１９を操作すれば、上記材料投入ボタン１９の操作信号によって上記沸騰感知手段１０の沸騰有無を再チェックし、沸騰感知信号が再検出されれば直ちに上記タイマー部９が作動を開始する段階；
上記５段階によって、沸騰を知らせる沸騰音が発生すれば、使用者によって上記料理材料１８が鍋１内に投入される。継いで、使用者が材料投入を知らせる材料投入ボタン１９を操作すれば、上記材料投入ボタン１９の操作信号によって上記沸騰感知手段１０の沸騰感知有無を再チェックして上記沸騰感知手段１０の沸騰信号が再感知されれば、直ちに上記タイマー部９が作動を開始する。
【０１１７】
即ち、上記材料投入ボタン１９の操作時に沸騰感知手段１０の沸騰感知有無を再チェックして、水１７の沸騰が再感知される時にタイマー部９が作動を開始されるようにした。それにより、水１７の量に比べて料理材料１８の量が過多に投入され、沸いた水１７の温度が材料の投入により過度に落ちた場合、再上昇するまでたくさんの時間がかかる場合にも投入された料理材料１８の「持続煮る時間２」が正確に適用されるようになる。
【０１１８】
投入される料理材料１８による水１７の温度変化が無視されることができるほど料理材料（例えば、ラーメン１つ、料理用材料）の量が少量である場合には、上記材料投入ボタン１９が操作された時、水１７の沸騰有無を再チェックしないで、直ちにタイマー部１９が作動を開始するように構成することもできることは勿論である。それは、沸いた水１７の温度が料理材料１８を投入して落ちた後再上昇するまでかかる時間が無視することができるほど短いからである。この場合にも本発明の範疇に属することは常識である。
【０１１９】
７．タイマー部９に設定された時間が経過すれば上記タイマー部９が音発生部１１側に信号を出力して料理完了音を発生する段階；
タイマー部９に設定された時間が全部経過すれば、上記タイマー部９は音発生部１１側に信号を出力する。それにより、上記音発生部１１は料理完了音を発生して料理を完了したことを使用者に知らせる。
【０１２０】
本実施例の音は上述した実施例１で説明した音と同じである。
【０１２１】
実施例４
本実施例４の作動は次の通りである。
【０１２２】
料理量感知手段４８は料理量選択スィッチ２２で構成されることもでき、また他の方法としては、加熱開始時に操作される電源スィッチがオン（ＯＮ）（料理開始）になった時点から鍋１内の水１７の沸騰が感知されるまでの所要時間をマイコンで構成される回路部３１が測定して、料理の量を判断するように構成することもできる。
【０１２３】
本実施例４は面料理を水１７が沸騰する前に予め投入する場合に有用であり、面料理の量が増加することによる「持続煮る時間１」の減少量は実験的に予め測定してデータとして貯蔵される。
【０１２４】
本実施例４の作動方法は次の通りである。
【０１２５】
１．メニュー選択手段１６を操作して料理するメニューを選択すると電源スィッチがオン（ＯＮ）になって、料理材料１８が予め投入された鍋１の加熱を開始する段階；
メニュー選択手段１６を操作して料理するメニューを選択する。メニューを選択する方法と作動過程は上述した実施例１と同じである。メニューを選択すると直ちに料理材料１８が予め投入された鍋１の加熱が開始される。メニュー選択手段１６の操作に連動して電源スィッチが自動にオン（ＯＮ）になるように構成することもできる。
【０１２６】
２．選択されたメニューの「持続煮る時間１」がタイマー部９に設定される段階；
メニュー選択手段１６を操作してメニューを選択すれば選択されたメニューの「持続煮る時間１」がタイマー部９に設定される。選択されたメニューの「持続煮る時間１」がタイマー部９に設定される作用過程は上述した実施例１と同じである。
【０１２７】
３．タイマー部９に設定された時間値が料理調節手段１５によって所定時間の範囲内で調節される段階；
料理調節手段１５の操作で上記タイマー部９に設定された時間が調節される。タイマー部９に設定された時間が調節される作用過程は上述した実施例１と同じである。上記１段階での鍋１の加熱は１段階、または２段階、または３段階に実行されることもできることは勿論であり、上記１、２、３段階の中で何れの段階で加熱が開始されても実用上大きな差はない。従って、各場合においても本発明の範疇に含まれることは勿論である。
【０１２８】
４．電源スイッチ４３がオン（ＯＮ）になった時点から沸騰感知手段１０の沸騰感知信号が発生するまでの所要時間を料理量感知手段４８が測定して料理の量を判断する段階；
上記電源スィッチ４３がメニュー選択用可変抵抗４１に一体に構成されて連動する場合には、上記１段階でメニュー選択手段１６のノブ３８を回す過程で上記電源スィッチ４３はオン（ＯＮ）になる。
【０１２９】
電源スィッチ４３が別途に設置される場合には、別途の電源スィッチ４３を鍋の加熱開始時にオン（ＯＮ）にする。
【０１３０】
電源を回路部３１に供給し始めると、料理量感知手段４８が作動を開始しながら時間測定を開始し、上記時間測定は電源スィッチがオン（ＯＮ）になった時点から沸騰感知手段１０が沸騰を感知する時点までの所要時間を測定して料理の量を感知する。
【０１３１】
特に、料理がラーメン料理である場合には、ラーメンを１つ投入した時の水の量に比べてラーメンを２つ入れた時の水の量がほぼ２倍になり、それにより、加熱を開始した時点から水１７が沸騰するまでの所要時間が約２倍でなるので、この所要時間を測定することによって料理の量を間接的に判断する。ところが、加熱を開始すると同時にメニュー選択操作が実施されるか、またはメニューを選択する操作をした後直ちに加熱を開始して、この過程でメニュー選択手段に連動された電源スィッチ４３がオン（ＯＮ）になって、電源スィッチ４３がオン（ＯＮ）になる時点を加熱が開始された時点と見做しても構わない。それにより、本段階では電源が供給された時点から時間を測定して、沸騰感知信号が発生されるまでの時間を上記料理量感知手段４８が行って料理の量を検出する。
【０１３２】
料理量感知手段４８を料理量選択スィッチ２２で構成した場合には、上述した料理量感知手段４８の時間測定の代りに上記料理量選択スィッチ２２の接点位置を検出して料理の量を判断するようになる。上記料理量選択スィッチ２２は１人前（１つ）、２人前（２つ）、３人前（３つ）などで、スィッチの接点変換によって料理の量が選択されるようにすることができる。
【０１３３】
５．上記料理量感知手段４８の料理量情報信号によって上記タイマー部９に既に設定された時間（持続煮る時間１）が予め実験で測定されたデータによって所定範囲内で調節される段階；
上記料理量感知手段４８の料理量情報信号によってメニューを選択する時、タイマー部９に既に設定された上記「持続煮る時間１」が調節される。上記「持続煮る時間１」が料理量１人前（１つ）を基準に測定されたデータであれば、料理の量が増加され、２人前と判断される場合、上記「持続煮る時間１」は予め実験的に測定された時間だけ減少されるように調節される。料理材料１８が「普通面」である場合には、予めラーメン２つを投入し、調理する際に、本出願人の感覚ではラーメン１つの場合より約３０秒〜１分の範囲内で上記「持続煮る時間１」を減少させることが好ましい。料理材料１８が面料理ではない場合には、料理の量の増加によって上記「持続煮る時間１」を減少するように調節しなくても実用上大きな問題はない。それは、面料理を除いた一般料理材料は沸騰する前の温度の水の中につけている時間が増加されても料理を煮る速度に実用上大きな影響を及ぼさないからである。しかし、面料理のように沸騰する前に水１７の中につけられる時間の影響を受ける料理材料１８の場合には、料理の量の増加によって上記「持続煮る時間１」が減少されるようにすることが好ましい。
【０１３４】
６．沸騰感知手段１０が水１７の沸騰を感知すれば、出力する信号によってタイマー部９が作動を開始する段階；
上記沸騰感知手段１０が水１７の沸騰を感知して信号を出力すれば、それによって上記タイマー部９は作動を開始して設定された時間を計測し始める。
【０１３５】
７．タイマー部９の設定時間が経過すれば音発生部１１側に信号を出力して料理完了音を発生する段階；
上記タイマー部９が作動を開始した後設定された時間が全部経過すれば音発生部１１側に信号を出力する。それによって上記音発生部１１は料理完了音を発生する。
【０１３６】
本実施例の音種類は上述した実施例１で説明した音種類と同じである。
【０１３７】
上記料理量感知手段４８が料理量選択スィッチ２２で構成された場合には、次のような作動方法で料理をすることもできる。
【０１３８】
この場合には料理量選択スィッチ２２を操作して料理するメニューの量を選択する。それで、メニューの選択時に設定されたタイマー部９に設定された時間が上記料理量選択スィッチ２２の選択によって調節される。上記料理量選択スィッチ２２が料理の量が増加されると選択した場合には、上記タイマー部に設定された時間は予め料理の量による煮る時間の変化データによって減少するように調節される。
【０１３９】
上述した本発明の実施例１〜実施例４において、音発生部１１の音通路穴２０の防水作用過程を説明すれば次の通りである。
【０１４０】
上記音発生部１１は音通路穴２０が電源スィッチ４３に連動されるノブ（ｋｎｏｂ）のノブ羽３９（図７、図８）、またはノブ突起板４９の移動によって開閉されることによって防水されるように構成されている（図１１）。従って、メニューを選択するためにノブ（ｋｎｏｂ）を回せば図７、図８のノブ羽３９は音通路穴２０を開放させる。反対に、料理を完了した後に発生した音を停止させるためにノブ３８をオフ（ＯＦＦ）位置に回転させてセッティングすれば、上記ノブ羽３９は上記音通路穴２０を塞ぐ。ところが、鍋１を水で洗浄する場合、本発明の電源がオフ（ＯＦＦ）になって、洗浄時にはいつも上記音通路穴２０は上記ノブ羽３９によって閉鎖された状態であるため、洗浄時に上記音通路穴２０を通じる水の浸透を防止することができるようになる。
【０１４１】
図１１のように、ノブ突起板４９で構成した場合にはノブ３８の底面部に形成された上記ノブ突起板４９の移動によって上記音通路穴２０が開閉される。
【０１４２】
上記ノブ羽３９または上記ノブ突起板４９は可変抵抗４１とは別途に設置された上下運動方式のロッキング（Ｌｏｃｋｉｎｇ）ボタン方式の電源スィッチ４３に設置されるように構成することもできる。この場合には、電源ボタンの押し回数によって電源がＯＮまたはＯＦＦされる時、ボタンノブ３８の高さが変わることを利用して上記音通路穴２０が開閉される。即ち、ノブ３８の高さが低くなると、上記ノブ羽３９、またはノブ突起板４９が上記音通路穴２０を閉鎖し、高さが高くなると上記音通路穴２０が開放されるように構成される。
【０１４３】
上記音通路穴２０の閉鎖をより完壁に実行するために、上記音通路穴２０の周辺に弾性を有するゴムリング２６を設置することができ、この場合には上記音通路穴２０は、図９、図１０のノブ羽３９または図１１のノブ突起板４９が弾性を有する上記ゴムリング２６により完壁に密着されながら防水をする。密着をよりよくするために、上記ノブ突起板４９も弾性材質で構成することもできる。
【０１４４】
上記音通路穴２０の防水のためのまた他の構成は上記音発生部１１から発生される音は通過し、水は通過できないようにする薄板２８で、音通路穴２０が塞がられるように構成することもできる（図１〜図６）。この場合には、上記薄板２８はスピーカー１４の音振動（音圧）は上記薄板２８をよく通過することができるように薄壁の材質で構成し、スピーカー１４の音は上記薄板２８を通過し、水は通過できなくて防水をする。
【０１４５】
また他の方法では上記薄板２８は取っ手構造物に一体に形成されるように構成することもでき、この場合には、薄板２８の固有振動数がスピーカー１４の音振動に共振されながら、音は薄板２８を通過し、水は通過できないことにより防水をする。
【０１４６】
未説明符号について説明すれば次の通りである。
【０１４７】
図７のスプリング２３は温度センサー８が上蓋２の表面に密着されるようにする役割を果たす。温度センサー８の正確な密着は温度センサー８の温度感知の偏差を減らす。
【０１４８】
図７の突起２５及び突起用溝２４は温度センサー８が図７の水蒸気噴出口１２の位置で逸脱しないようにする役割を果たす。
【０１４９】
取っ手下構造３０及び取っ手上構造２９は上蓋中心部用取っ手６が電源交換のために分離可能に二つの部分で構成された場合、下部分の構造と上部分の構造を意味する。
【０１５０】
温度センサー羽根３６は温度センサー８を鍋の取っ手に容易に設置することができるようにする役割を果たす。
【０１５１】
センサー羽根固定用ボルト３５は温度センサー羽根３６を上蓋中心部用取っ手６に固定するように設置するために締結するボルトを意味する。
【０１５２】
電源表示ＬＥＤ４２は電源がオン（ＯＮ）になった状態を示す機能をする。
【０１５３】
本体用取っ手５は鍋１の本体側面に設置される取っ手である。
【０１５４】
上蓋側面用取っ手４は上蓋２の側面部位に設置される取っ手を意味する。
【０１５５】
未説明図１２は料理材料１８が水１７が沸く前に予め投入される場合の実施例１の方法で料理をする時の温度−時間特性グラフである。図１２で「沸騰」時点は水が実際に沸騰する時点で、沸騰感知時点は温度センサー８／沸騰感知手段１０が沸騰を感知する時点を意味する。
【０１５６】
また、図１２の「持続煮る時間１」は、水１７が沸く前に予め料理材料１８が投入された状態で、沸騰感知手段１０の沸騰感知後から料理が完了されるまでかかる時間を意味し、選択されたメニューの設定時間値でタイマー部９に設定される時間値である。
【０１５７】
図１３はお湯が沸いた後料理材料１８が投入される場合の実施例２及び実施例３の方法で、料理をする時の温度−時間特性グラフである。図１３で感知所要時間は上述した図１２と同じである。また、投入所要時間は沸騰を知らせる沸騰音の発生後から使用者が料理材料１８を投入するのにかかる時間を意味する。従って、実施例２ではタイマー部９に設定される時間は「持続煮る時間２」に「投入所要時間」を合わせた時間が設定されるが、上記「投入所要時間」は料理材料１８が鍋１内の水１７の中に投入されるのに必要な時間であるので、実際に料理材料１８が沸かした水の中でさらに沸かされる時間は「持続煮る時間２」である。上記「持続煮る時間２」は沸いているお湯の中に料理材料を投入してから料理が完了されるまでかかる時間である。
【０１５８】
図１３は実施例２と実施例３の温度時間特性グラフを一緒に見せる。図１３で材料投入時点は材料投入ボタン１９が操作された時点を意味する。図１３で料理材料１８を投入した後水１７の温度が一時低下する過程は表示しなかった。
【０１５９】
以上で説明したように、本発明の上記実施例はスープ料理が最も美味しく調理された時にそれを使用者に自動的に知らせる特徴を有する自動料理鍋である。
【符号の説明】
【０１６０】
１：鍋
２：上蓋
３：鍋本体
４：上蓋側面用取っ手
５：本体用取っ手
６：上蓋中心部用取っ手
７：電源部
８：温度センサー
９：タイマー部
１０：沸騰感知手段
１１：音発生部
１２：水蒸気噴出口
１３：隙間
１４：スピーカー
１５：料理調節手段
１６：メニュー選択手段
１７：水
１８：料理材料
１９：材料投入ボタン
２０：音通路穴
２１：メニュー板
２２：料理量選択スィッチ
２３：スプリング
２４：突起用溝
２５：突起
２６：ゴムリング
２７：取っ手固定用雌ねじ
２８：薄板
２９：取っ手上構造
３０：取っ手下構造
３１：回路部
３２：ボルト
３３：感知部
３４：ねじ溝
３５：センサー羽根固定用ボルト
３６：温度センサー羽根
３７：取っ手固定用ボルト
３８：ノブ（ｋｎｏｂ）
３９：ノブ（ｋｎｏｂ）羽
４０：感知部締結ねじ
４１：可変抵抗
４２：電源表示ＬＥＤ
４３：電源スイッチ
４４：メニュー選択ボタン
４５：料理調節ボタン
４６：メニュー表示ＬＥＤ
４７：料理調節表示ＬＥＤ
４８：料理量感知手段
４９：ノブ突起板
【図１】
0006545150.tif 000002
【図２】
0006545150.tif 000003
【図３】
0006545150.tif 000004
【図４】
0006545150.tif 000005
【図５】
0006545150.tif 000006
【図６】
0006545150.tif 000007
【図７】
0006545150.tif 000008
【図８】
0006545150.tif 000009
【図９】
0006545150.tif 000010
【図１０】
0006545150.tif 000011
【図１１】
0006545150.tif 000012
【図１２】
0006545150.tif 000013
【図１３】
0006545150.tif 000014
【図１４】
0006545150.tif 000015
【図１５】
0006545150.tif 000016
【図１６】
0006545150.tif 000017
【図１７】
0006545150.tif 000018
【図１８】
0006545150.tif 000019
【図１９】
0006545150.tif 000020
【図２０】
0006545150.tif 000021
【図２１】
0006545150.tif 000022
【図２２】
0006545150.tif 000023
【図２３】
0006545150.tif 000024